(57)【要約】【課題】  ディーゼルパティキュレートフィルタ（ＤＰＦ）の再生時期を正確に判じることができるようにすることである。【解決手段】  ＤＰＦ３２の排気微粒子の堆積量に応じて圧力損失が増加する増加特性を規定する特性線を、遷移点を越えると傾きが緩くなる２本の直線で表し、前記特性線に基づき、ＥＣＵ５１が差圧センサ５４から知られる圧力損失ΔＰから堆積量ＭL を算出する。そして、ＤＰＦ３２において堆積排気微粒子が燃焼状態にあると判断すると、傾きの小さな第２の特性線を、堆積量の大側に平行にシフトする補正をする。これにより、後から堆積するＤＰＦ３２の隔壁表面の堆積排気微粒子に先んじて細孔内の堆積排気微粒子が燃焼することによって前記特性線がずれても、これにＥＣＵ５１が記憶する増加特性を追随させることで、高精度に堆積量が知られるようにする。【選択図】        図１
2004286019.tif 000002
【特許請求の範囲】
【請求項１】
排気通路の途中に、排気微粒子を捕集するパティキュレートフィルタを有し、該パティキュレートフィルタの排気微粒子の堆積量が増大すると堆積排気微粒子を燃焼除去して前記パティキュレートフィルタを再生する内燃機関の排気ガス浄化装置において、
前記パティキュレートフィルタの圧力損失を検出する圧力損失検出手段と、
排気微粒子の堆積量と前記圧力損失とを対応付ける堆積特性を、堆積量が０の初期点を通る直線を第１の特性線として、前記初期点から前記第１の特性線を辿って圧力損失が上昇し、所定の遷移点を越えると前記第１の特性線よりも緩い傾きの直線を第２の特性線として該第２の特性線を辿って圧力損失が上昇する堆積特性とし、該堆積特性に基づき、少なくとも前記圧力損失を含む内燃機関の運転状態を入力として堆積量を演算し、該堆積量が所定の再生開始堆積量を越えたか否かにより、前記パティキュレートフィルタを再生するか否かを決定する再生決定手段と、
堆積排気微粒子の燃焼状態を検出する排気微粒子燃焼状態検出手段と、
堆積排気微粒子が燃焼状態にあると、前記第２の特性線を堆積量の大側に略平行にシフトするように前記堆積特性を補正する補正手段とを具備せしめたことを特徴とする内燃機関の排気ガス浄化装置。
【請求項２】
請求項１記載の内燃機関の排気ガス浄化装置において、前記パティキュレートフィルタの再生開始前に、高温度排気ガスに基因する燃焼や前回再生時における中断により生じる排気微粒子の部分的な燃焼により低減した堆積排気微粒子の低減分の積算量を演算する燃焼排気微粒子積算手段を具備せしめ、
前記補正手段は、前記積算量が多いほど、排気微粒子を多く検出する方向に向けて前記第２の特性線のシフト量が大きくなるように設定した内燃機関の排気ガス浄化装置。
【請求項３】
請求項１または２いずれか記載の内燃機関の排気ガス浄化装置において、前記補正手段は、補正後の堆積特性が初期点を通るシフト量を上限とするように設定した内燃機関の排気ガス浄化装置。
【請求項４】
排気通路の途中に、排気微粒子を捕集するパティキュレートフィルタを有し、該パティキュレートフィルタの排気微粒子の堆積量が増大すると堆積排気微粒子を燃焼除去して前記パティキュレートフィルタを再生する内燃機関の排気ガス浄化装置において、
前記パティキュレートフィルタの圧力損失を検出する圧力損失検出手段と、
排気微粒子の堆積量と前記圧力損失とを対応付ける堆積特性を、堆積量が０の初期点を通り圧力損失が高い方に凸となる増加特性線を辿って、前記初期点から圧力損失が上昇する増加特性と、前記初期点を通り圧力損失が低い方に凸となる低減特性線を辿って、前記初期点に向かって圧力損失が低下する低減特性とからなる堆積特性とし、該堆積特性に基づき、前記圧力損失を含む内燃機関の運転状態を入力として堆積量を演算し、該堆積量が所定の再生開始堆積量を越えたか否かにより、前記パティキュレートフィルタを再生するか否かを決定する再生決定手段と、
堆積排気微粒子の燃焼状態を検出する排気微粒子燃焼状態検出手段とを具備せしめ、
かつ、前記再生決定手段を、堆積排気微粒子が燃焼状態にないと、前記増加特性に基づき堆積量を演算し、堆積排気微粒子が燃焼状態にあると、前記低減特性に基づき堆積量を演算するように設定したことを特徴とする内燃機関の排気ガス浄化装置。
【請求項５】
請求項４記載の内燃機関の排気ガス浄化装置において、前記再生決定手段を、前記堆積排気微粒子が非燃焼状態から燃焼状態になると、当該時点の圧力損失および堆積量を通る前記低減特性の傾き（ゲイン）に基づいて排気微粒子の堆積量を演算し、
前記堆積排気微粒子が燃焼状態から非燃焼状態になると、当該時点の圧力損失および排気微粒子堆積量を通る前記増加特性の傾き（ゲイン）に基づいて排気微粒子の堆積量を演算するように設定した内燃機関の排気ガス浄化装置。
【請求項６】
請求項４または５いずれか記載の内燃機関の排気ガス浄化装置において、前記増加特性線は２種類の直線からなり、
前記増加特性は、前記初期点を通る直線を増加第１特性線として、前記初期点から前記増加第１特性線を辿って圧力損失が上昇し、増加時遷移点を越えると前記増加第１特性線よりも緩い傾きの直線を増加第２特性線として、該増加第２特性線を辿って圧力損失が上昇する増加特性である内燃機関の排気ガス浄化装置。
【請求項７】
請求項４ないし６いずれか記載の内燃機関の排気ガス浄化装置において、前記低減特性線は２種類の直線からなり、
前記低減特性は、現在の圧力損失および堆積量を通る直線を低減第１特性線として、該低減第１特性線を辿って圧力損失が低下し、低減時遷移点を越えると前記低減第１特性線よりも緩い傾きの直線を低減第２特性線として、該低減第２特性線を圧力損失が前記初期点に向かって低減する低減特性である内燃機関の排気ガス浄化装置。
【請求項８】
請求項４または５いずれか記載の内燃機関の排気ガス浄化装置において、前記増加特性線および前記低減特性線はそれぞれ２種類の直線からなり、
前記堆積特性は、前記初期点を通る直線を増加第１特性線として、前記初期点から前記加第１特性線を辿って圧力損失が上昇し、所定の増加時遷移点を越えると前記増加第１特性線よりも緩い傾きの直線を増加第２特性線として、該増加第２特性線を圧力損失が上昇する増加特性と、現在の堆積量を通る直線を低減第１特性線として、該低減第１特性線を圧力損失が低下し、低減時遷移点を越えると前記低減第１特性線よりも緩い傾きの直線を低減第２特性線として、該低減第２特性線を圧力損失が前記初期点に向かって低下する低減特性とからなる堆積特性であり、
かつ、前記増加第１特性線と前記低減第１特性線との位置関係と、前記増加第２特性線と前記低減第２特性線との位置関係とのうち、少なくとも一方が平行の関係である内燃機関の排気ガス浄化装置。
【請求項９】
請求項７または８いずれか記載の内燃機関の排気ガス浄化装置において、前記再生決定手段は、前記堆積排気微粒子が非燃焼状態から燃焼状態になると、当該時点の差圧および堆積量を通る前記低減第１特性線に基づいて堆積量を演算するように設定した内燃機関の排気ガス浄化装置。
【請求項１０】
請求項９記載の内燃機関の排気ガス浄化装置において、前記パティキュレートフィルタの再生開始前に、高温度排気ガスに起因する燃焼や前回再生時における中断により生じる排気微粒子の部分的な燃焼により低減した堆積排気微粒子の低減分の積算量を演算する燃焼排気微粒子積算手段を具備せしめ、
前記再生決定手段は、前記積算量が予め設定した所定の積算量になると、堆積特性を前記低減第２特性線に固定するように設定した内燃機関の排気ガス浄化装置。
【請求項１１】
請求項２または１０いずれか記載の内燃機関の排気ガス浄化装置において、前記燃焼排気微粒子積算手段は、圧力損失の減少量を排気微粒子の堆積量の減少量に換算した値に、内燃機関の運転状態を入力として演算された排気微粒子の新たな堆積分を加算して、加算値を前記堆積排気微粒子の低減分とする第１の演算手段と、前記パティキュレートフィルタの温度に基づいて前記堆積排気微粒子の低減分を演算する第２の演算手段と、前記内燃機関が定常運転か否かの判定を行う定常運転判定手段と、前記判定が肯定判断されると前記第１の演算手段から得られた前記堆積排気微粒子の低減分により前記積算量を更新し、前記判定が否定判断されると前記第２の演算手段から得られた前記堆積排気微粒子の低減分により前記積算量を更新する更新手段とを具備する構成とした内燃機関の排気ガス浄化装置。
【請求項１２】
請求項１１記載の内燃機関の排気ガス浄化装置において、前記定常運転判定手段は、前記パティキュレートフィルタの温度分布を推定し、温度分布が略均一のときには定常運転と判断するように設定した内燃機関の排気ガス浄化装置。
【発明の詳細な説明】
【技術分野】
【０００１】
本発明は、内燃機関の排気ガス浄化装置に関し、特にパティキュレートフィルタを再生する技術に関する。
【背景技術】
【０００２】
近年、自動車等に搭載される内燃機関では、排気エミッションの向上が要求されており、特に軽油を燃料とする圧縮着火式のディーゼルエンジンでは、ＣＯ、ＨＣ、ＮＯx に加え、排気ガス中に含まれる煤やＳＯＦ等の排気微粒子を除去することが必要になる。このため、排気通路にパティキュレートフィルタを配置し、ここで、排気ガス中の排気微粒子を捕集している。
【０００３】
パティキュレートフィルタは、流入した排気ガスに多孔質の隔壁を透過させ、その際に、隔壁の表面や細孔で排気ガス中の排気微粒子を捕集する。捕集されて堆積する量が過剰に増えると、パティキュレートフィルタにおける流通抵抗の増大で内燃機関の背圧が上昇し、出力の低下等をもたらす。このため、パティキュレートフィルタに捕集された排気微粒子をパティキュレートフィルタから適宜、除去してパティキュレートフィルタを再生する。
【０００４】
パティキュレートフィルタの再生を内燃機関の運転中に可能としたものとして、パティキュレートフィルタに白金等の酸化触媒を設けて、酸化触媒の酸化作用を利用したものがある。このものでは、例えば排気行程において燃料を噴射するポスト噴射により燃料をパティキュレートフィルタに供給し、その燃焼熱を利用して、噴射燃料に比して酸化しにくい堆積排気微粒子を酸化、除去する。
【０００５】
パティキュレートフィルタの再生は頻繁に行うと燃費が悪化し、一方、次に再生するまでの間が空きすぎると、排気微粒子の堆積量が過剰で、再生処理において排気微粒子が急速に燃焼して、パティキュレートフィルタが異常な高温となり、破損するおそれがある。このため、排気微粒子の堆積量の多少を判断し、再生時期を決定するのが望ましい。特許文献１には、パティキュレートフィルタへの排気微粒子の堆積量の増大による前記通気抵抗の増大で、パティキュレートフィルタの入口と出口との間の差圧が増大することを利用して、この差圧を検出し、検出差圧が所定値を越えると再生すべき時期と判じるものが開示されている。
【特許文献１】特開平７−３３２０６５号
【発明の開示】
【発明が解決しようとする課題】
【０００６】
しかしながら、前記特許文献１の技術では、差圧を含む内燃機関の運転状態が同じであっても、実際の排気微粒子の堆積量が異なるという問題があり、必ずしも十分な精度で排気微粒子の堆積量の多少を判断することができない。
【０００７】
本発明は前記実情に鑑みなされたもので、再生時期を適正に決定し得る内燃機関の排気ガス浄化装置を提供することを目的とする。
【課題を解決するための手段】
【０００８】
発明者らは、パティキュレートフィルタに関し、排気微粒子の堆積と、これが排気ガスの流通におよぼす影響について鋭意実験研究を重ねた結果、パティキュレートフィルタの入口側と出口側との間の差圧、すなわちパティキュレートフィルタにおける堆積量と圧力損失とを対応付ける堆積特性が、堆積が進行する過程において、圧力損失が高い方に凸となる堆積特性となることがわかった。詳しくは、堆積量が０の初期点を通る直線を第１の特性線（以下、適宜、増加第１特性線という）として該第１の特性線上を辿って圧力損失が上昇し、遷移点を越えると前記第１の特性線よりも緩い傾きの直線を第２の特性線（以下、適宜、増加第２特性線という）として該第２の特性線上を辿って圧力損失が上昇する堆積特性となる。この、遷移点を挟む前後で２つの特性線が異なる傾向を示すのは、パティキュレートフィルタにおける圧力損失が、最初は、パティキュレートフィルタの細孔の空間容積に対し、排気微粒子が詰まっている容積の割合で増大するのに対して、細孔が排気微粒子により略詰まってしまうと、今度は圧力損失が排気微粒子の堆積層の厚さに応じて増大するためと認められる。
【０００９】
一方、パティキュレートフィルタに堆積した排気微粒子が燃焼、消失して排気微粒子の堆積量が低減する場合を考えると、この場合には、前記特性線上を辿らない。すなわち、堆積量と圧力損失とを対応付ける堆積特性が、排気微粒子が堆積していく増加特性と、排気微粒子が燃焼して堆積量が低減していく低減特性とが異なる堆積特性となる。堆積排気微粒子の堆積量が低減する過程においては、圧力損失が低い側に凸となるプロファイルを呈する。詳しくは、堆積特性は、現在の堆積量を通る直線を低減第１特性線として該低減第１特性線上を圧力損失が低下し、低減時遷移点を越えると前記低減第１特性線よりも緩い傾きの直線を低減第２特性線として該低減第２特性線上を辿って圧力損失が前記初期点に向かって低下する低減特性となる。これは、パティキュレートフィルタにおいて、堆積層を形成する排気微粒子に先立って、細孔に詰まっている排気微粒子が燃焼することによるものと認められる。
【００１０】
また、堆積排気微粒子の燃焼が停止し、新たな排気微粒子の捕集により、堆積量が増加に転じると、当該時点の圧力損失および堆積量を通る増加第２特性線上を圧力損失が上昇する。既に前記堆積層が形成されているので、この新たに捕集される排気微粒子は細孔を再び埋めることには寄与せず、前記堆積層の厚さをさらに厚くしていくことに寄与し、堆積量に対する圧力損失の傾きは燃焼前と同程度となる。そして、前記のごとく細孔の排気微粒子の堆積量が減っているので、増加第２特性線（第２特性線）が、燃焼で減じられた堆積排気微粒子の量に応じて堆積量の大側にシフトしていくことになる。この、堆積排気微粒子が一部燃焼した後で堆積量が増加するときに圧力損失および堆積量がしたがう堆積特性を、仮に堆積量の小側に延長したとすれば、遷移点が初期点に近い増加特性となる。
【００１１】
堆積排気微粒子の燃焼はパティキュレートフィルタの再生開始前にも内燃機関の運転状態などによっては高温度排気ガスに基因して生じる。このため、増加特性と低減特性とが異なることに基因した堆積量の検出誤差が生じるおそれがあり、再生開始時期の判断に影響を及ぼす。また、前回のパティキュレートの再生時において再生が完了せず中断してしまった場合にも、前記のような、排気微粒子の部分的燃焼による問題が生じる。本発明はかかる知見に基づきなされたものである。
【００１２】
請求項１記載の発明では、排気通路の途中に、排気微粒子を捕集するパティキュレートフィルタを有し、該パティキュレートフィルタの排気微粒子の堆積量が増大すると堆積排気微粒子を燃焼除去して前記パティキュレートフィルタを再生する内燃機関の排気ガス浄化装置において、
前記パティキュレートフィルタの圧力損失を検出する圧力損失検出手段と、
排気微粒子の堆積量と前記圧力損失とを対応付ける堆積特性を、堆積量が０の初期点を通る直線を第１の特性線として、前記初期点から前記第１の特性線を辿って圧力損失が上昇し、所定の遷移点を越えると前記第１の特性線よりも緩い傾きの直線を第２の特性線として該第２の特性線を辿って圧力損失が上昇する堆積特性とし、該堆積特性に基づき、少なくとも前記圧力損失を含む内燃機関の運転状態を入力として堆積量を演算し、該堆積量が所定の再生開始堆積量を越えたか否かにより、前記パティキュレートフィルタを再生するか否かを決定する再生決定手段と、
堆積排気微粒子の燃焼状態を検出する排気微粒子燃焼状態検出手段と、
堆積排気微粒子が燃焼状態にあると、前記第２の特性線を堆積量の大側に略平行にシフトするように前記堆積特性を補正する補正手段とを具備せしめる。
【００１３】
堆積排気微粒子が燃焼状態にあると、前記第２の特性線が堆積量の大側に略平行にシフトして、堆積量の演算に用いられる堆積特性が実際の堆積特性に近づく。これにより、排気微粒子の堆積量を高精度に得ることができる。ここで、かかる堆積特性の補正のないものであると、堆積量の演算値が実際の堆積量よりも小さくなるから、急速燃焼の発生を十分に回避することができない。このため、再生開始堆積量を小さめに設定するなどの措置が必要になって再生頻度が増えるおそれがあるが、本発明によれば再生頻度を適正化することができる。
【００１４】
請求項２記載の発明では、請求項１の発明の構成において、前記パティキュレートフィルタの再生開始前に、高温度排気ガスに基因する燃焼や前回再生時における中断により生じる排気微粒子の部分的な燃焼により低減した低減分の堆積排気微粒子の積算量を演算する燃焼排気微粒子積算手段を具備せしめ、
前記補正手段は、前記積算量が多いほど、排気微粒子を多く検出する方向に向けて前記第２の特性線のシフト量が大きくなるように設定する。
【００１５】
パティキュレートフィルタの再生開始前に燃焼により低減した堆積排気微粒子の積算量が多いほど細孔内の堆積排気微粒子が少なくなっている。積算量が多いほど前記第２の特性線のシフト量が大きくなるようにすることで、補正後の堆積特性がより適正なものとなる。
【００１６】
請求項３記載の発明では、請求項１または２の発明の構成において、前記補正手段は、補正後の堆積特性が初期点を通るシフト量を上限とするように設定する。
【００１７】
初期点を通る第２の特性線は細孔内に堆積排気微粒子が全くないときの特性線であるから、これが第２の特性線の限界である。したがって、補正後の堆積特性が初期点を通るシフト量を上限とすることで、さらに高精度化に堆積量を求めることができる。
【００１８】
請求項４記載の発明では、排気通路の途中に、排気微粒子を捕集するパティキュレートフィルタを有し、該パティキュレートフィルタの排気微粒子の堆積量が増大すると堆積排気微粒子を燃焼除去して前記パティキュレートフィルタを再生する内燃機関の排気ガス浄化装置において、
前記パティキュレートフィルタの圧力損失を検出する圧力損失検出手段と、
排気微粒子の堆積量と前記圧力損失とを対応付ける堆積特性を、堆積量が０の初期点を通り圧力損失が高い方に凸となる増加特性線を辿って、前記初期点から圧力損失が上昇する増加特性と、前記初期点を通り圧力損失が低い方に凸となる低減特性線を辿って、前記初期点に向かって圧力損失が低下する低減特性とからなる堆積特性とし、該堆積特性に基づき、少なくとも前記圧力損失を含む内燃機関の運転状態を入力として堆積量を演算し、該堆積量が所定の再生開始堆積量を越えたか否かにより、前記パティキュレートフィルタを再生するか否かを決定する再生決定手段と、
堆積排気微粒子の燃焼状態を検出する排気微粒子燃焼状態検出手段とを具備せしめ、
かつ、前記再生決定手段を、堆積排気微粒子が燃焼状態にないと、前記増加特性に基づき堆積量を演算し、堆積排気微粒子が燃焼状態にあると、前記低減特性に基づき堆積量を演算するように設定する。
【００１９】
排気微粒子の増加時および低減時に、それぞれに適合した特性に基づいて、堆積量が演算されるから、排気微粒子の堆積量を高精度に得ることができる。単に堆積排気微粒子の燃焼を考えない増加特性に基づいて堆積量を演算するものでは演算になる堆積量が実際の堆積量よりも小さくなるから、急速燃焼の発生を十分に回避することができない。このため、再生開始堆積量を小さめに設定するなどの措置が必要になって再生頻度が増えるおそれがあるが、本発明によれば再生頻度を適正化することができる。
【００２０】
請求項５記載の発明では、請求項４の発明の構成において、前記再生決定手段を、前記堆積排気微粒子が非燃焼状態から燃焼状態になると、当該時点の圧力損失および堆積量を通る前記低減特性の傾き(ゲイン)に基づいて排気微粒子の堆積量を演算し、前記堆積排気微粒子が燃焼状態から非燃焼状態になると、当該時点の圧力損失および排気微粒子堆積量を通る前記増加特性の傾き（ゲイン）に基づいて排気微粒子の堆積量を演算するように設定する。
【００２１】
堆積排気微粒子が燃焼状態であるか否かにより堆積排気微粒子が増加状態か低減状態かが知られ、増加特性と低減特性とのいずれのうち適正な方に基づいて堆積量が演算される。
【００２２】
請求項６記載の発明では、請求項４または５の発明の構成において、前記増加特性線は２種類の直線からなり、
前記増加特性は、前記初期点を通る直線を増加第１特性線として、前記初期点から前記増加第１特性線を辿って圧力損失が上昇し、増加時遷移点を越えると前記増加第１特性線よりも緩い傾きの直線を増加第２特性線として、該増加第２特性線上を辿って圧力損失が上昇する増加特性とする。
【００２３】
実際の増加特性に合致しているため精度がよく、しかも簡単な直線で表し得るので、実施が容易である。
【００２４】
請求項７記載の発明では、請求項４または５の発明の構成において、前記低減特性線は２種類の直線からなり、
前記低減特性は、現在の圧力損失および堆積量を通る直線を低減第１特性線として、該低減第１特性線上を辿って圧力損失が低下し、低減時遷移点を越えると前記低減第１特性線よりも緩い傾きの直線を低減第２特性線として、該低減第２特性線上を圧力損失が前記初期点に向かって低減する低減特性とする。
【００２５】
堆積特性を２つの直線で簡単に表し得るので、実施が容易である。
【００２６】
請求項８記載の発明では、請求項４または５の発明の構成において、前記増加特性線および前記低減特性線はそれぞれ２種類の直線からなり、
前記堆積特性は、前記初期点を通る直線を増加第１特性線として、前記初期点から前記加第１特性線を辿って圧力損失が上昇し、所定の増加時遷移点を越えると前記増加第１特性線よりも緩い傾きの直線を増加第２特性線として、該増加第２特性線上を圧力損失が上昇する増加特性と、現在の堆積量を通る直線を低減第１特性線として、該低減第１特性線上を圧力損失が低下し、低減時遷移点を越えると前記低減第１特性線よりも緩い傾きの直線を低減第２特性線として、該低減第２特性線上を圧力損失が前記初期点に向かって低下する低減特性とからなる堆積特性であり、
かつ、前記増加第１特性線と前記低減第１特性線との位置関係と、前記増加第２特性線と前記低減第２特性線との位置関係とのうち、少なくとも一方が平行の関係であるものとする。
【００２７】
増加特性、低減特性ともに、それぞれ２つの直線で簡単に表し得るので、実施が容易である。
【００２８】
さらに、前記のごとく増加第１特性線で規定される圧力損失の上昇は細孔が排気微粒子で詰まることが支配要因であり、低減第１特性線で規定される圧力損失の低下は細孔の排気微粒子が燃焼、除去されることが支配要因である。すなわち、作用の方向は逆でも、いずれも細孔内の堆積排気微粒子の増減に基因している。したがって、堆積量に対する圧力損失の傾きは増加第１特性線と低減第１特性線とで相当程度等しい。増加第１特性線と低減第１特性線とが平行になるようにすることで、堆積特性が適正化される。
【００２９】
また、増加第２特性線で規定される圧力損失の上昇は細孔が排気微粒子で略詰まった後、堆積層の厚さを増すことが支配要因であり、低減第２特性線で規定される圧力損失の低下は堆積層を形成する排気微粒子が燃焼、除去して厚さを減らすことが支配要因である。すなわち、作用の方向は逆でも、いずれもパティキュレートフィルタの隔壁の表面の堆積排気微粒子の増減に基因している。したがって、堆積量に対する圧力損失の傾きは増加第２特性線と低減第２特性線とで相当程度等しい。増加第２特性線と低減第２特性線とが平行になるようにすることで、堆積特性が適正化される。
【００３０】
請求項９記載の発明では、請求項７または８の発明の構成において、前記再生決定手段は、前記堆積排気微粒子が非燃焼状態から燃焼状態になると、当該時点の圧力損失および堆積量を通る前記低減第１特性線に基づいて堆積量を演算するように設定する。
【００３１】
堆積排気微粒子が燃焼状態であれば、堆積排気微粒子の低減量が低減時遷移堆積量に達するまでは低減第１特性線を辿って圧力損失が低下していくものと判断することができるから、低減第１特性線に基づいて排気微粒子の堆積量を演算することで、堆積微粒子の堆積量を高精度に知ることができる。
【００３２】
請求項１０記載の発明では、請求項９の発明の構成において、前記パティキュレートフィルタの再生開始前に、高温度排気ガスに基因する燃焼や前回再生時における中断により生じる排気微粒子の部分的な燃焼により低減した堆積排気微粒子の低減分の積算量を演算する燃焼排気微粒子積算手段を具備せしめ、
前記再生決定手段は、前記積算量が予め設定した所定の積算量になると、堆積特性を前記低減第２特性線に固定するように設定する。
【００３３】
前記のごとく低減第１特性線上を辿って圧力損失が低下するのは、細孔内の排気微粒子が燃焼することが支配要因である。したがって、細孔内の排気微粒子がすべて燃焼し尽くした後は、堆積特性は、初期点に向かう低減第２特性線で足りることになる。前記所定の積算量は、細孔内の排気微粒子がすべて燃焼し尽くしたとみなせる値に設定すればよい。細孔内には、燃焼が最初に生じる前には、排気微粒子の堆積初期において増加時遷移点までに捕集された排気微粒子が詰まっている。したがって、前記所定の積算量は、増加時遷移点における堆積量に設定することができる
【００３４】
請求項１１記載の発明では、請求項２または１０の発明の構成において、前記燃焼排気微粒子積算手段は、圧力損失の減少量を排気微粒子の堆積量の減少量に換算した値に、内燃機関の運転状態を入力として演算された排気微粒子の新たな堆積分を加算して、加算値を前記堆積排気微粒子の低減分とする第１の演算手段と、前記パティキュレートフィルタの温度に基づいて前記堆積排気微粒子の低減分を演算する第２の演算手段と、前記内燃機関が定常運転か否かの判定を行う定常運転判定手段と、前記判定が肯定判断されると前記第１の演算手段から得られた前記堆積排気微粒子の低減分により前記積算量を更新し、前記判定が否定判断されると前記第２の演算手段から得られた前記堆積排気微粒子の低減分により前記積算量を更新する更新手段とを具備する構成とする。
【００３５】
前記高温度排気ガスに基因する燃焼や前回再生時における中断により生じる排気微粒子の部分的な燃焼により低減した堆積排気微粒子の低減分は、定常運転時には、圧力損失の減少量を排気微粒子の堆積量の減少量に換算した値に基づいて求めるのがより正確であり、温度分布の均一性が低下し圧力損失の減少量から堆積量の減少量への換算精度に影響が現れる非定常運転時には、パティキュレートフィルタの温度から求めるのがより正確である。２種類の演算手段を設けることで、積算量を高精度に求め得る。
【００３６】
請求項１２記載の発明では、請求項１１の発明の構成において、前記定常運転判定手段は、前記パティキュレートフィルタの温度分布を推定し、温度分布が略均一のときには定常運転と判断するように設定する。
【００３７】
定常運転時には排気ガスが絶えず略同じ温度でパティキュレートフィルタに流入するので、温度分布が均一であれば定常運転と判断することができる。非定常運転時にはパティキュレートフィルタに流入する排気ガスの温度がそれまでと変わるので、温度分布が均一でなければ非定常運転と判断することができる。
【発明を実施するための最良の形態】
【００３８】
（第１実施形態）
図１に本発明を適用した第１実施形態になるディーゼルエンジンの構成を示す。ディーゼルエンジンは、４気筒を備えたエンジン本体１に、吸気通路２の最下流部である吸気マニホールド２１と、排気通路３の最上流部である排気マニホールド３１とが接続され、排気通路３は、排気マニホールド３１の集合部にパティキュレートフィルタ３２が連なっている。パティキュレートフィルタ３２は、コーディエライトや炭化珪素等の多孔質セラミック製のハニカム構造体の流路を目封じしてフィルタ本体４を形成したもので、入口３２ａから流入したエンジン本体１の各気筒からの排気ガスが、多孔質の隔壁を透り、出口３２ｂから下流へと流れていく。このとき、パティキュレートフィルタ３２には、排気ガスに含まれる排気微粒子が捕集され、走行距離に応じて堆積していく。また、パティキュレートフィルタ３２のフィルタ本体４の表面には白金やパラジウム等の貴金属を主成分とする酸化触媒が担持されており、所定の温度条件下で排気微粒子を酸化、燃焼し、除去する。
【００３９】
エンジン本体１のインジェクタ等、エンジン各部を制御するＥＣＵ５１が設けられている。
【００４０】
ＥＣＵ５１には、運転状態を示す種々の信号が入力している。この中には、パティキュレートフィルタ３２に堆積する排気微粒子の堆積量を知るための信号も含まれており、そのためのセンサが設けられている。すなわち、排気通路３には管壁を貫通して温度センサ５３ａ，５３ｂが設けてあり、排気温度を検出するようになっている。温度センサ５３ａ，５３ｂはパティキュレートフィルタ３２の直上流と直下流とのそれぞれに設けられている。温度センサ５３ａの検出温度は、パティキュレートフィルタ３２の入口３２ａにおける、流通する排気ガスの温度であり、以下、ＤＰＦ入口温度という。温度センサ５３ｂの検出温度は、パティキュレートフィルタ３２の出口３２ｂにおける、流通する排気ガスの温度であり、以下、ＤＰＦ出口温度という。ＤＰＦ入口温度とＤＰＦ出口温度からはパティキュレートフィルタ３２の温度（以下、適宜、ＤＰＦ温度という）を演算する。
【００４１】
また、排気通路３には、パティキュレートフィルタ３２の直上流側で分岐する第１の分岐通路３３ａと、パティキュレートフィルタ３２の直下流側で分岐する第２の分岐通路３３ｂとが接続され、両分岐通路３３ａ，３３ｂに介設された圧力損失検出手段である差圧センサ５４が、パティキュレートフィルタ入口３２ａとパティキュレートフィルタ出口３２ｂとの差圧を検出するようになっている。この差圧はパティキュレートフィルタ３２における圧力損失を示している。
【００４２】
また、吸気通路２にはエアフローメータ５２が設けられ、吸入ガス量を検出するようになっている。
【００４３】
その他、ＥＣＵ５１に、アクセル開度、冷却水温等の運転状態を示すパラメータが入力しているのは勿論である。
【００４４】
ＥＣＵ５１はマイクロコンピュータを中心に構成された一般的な構成のもので、そのＲＯＭには、内燃機関各部を制御するための運転制御プログラムの他、パティキュレートフィルタ３２の排気微粒子の堆積量の算出や、堆積量の算出値に基づいてパティキュレートフィルタ３２を再生するか否かを判断する再生制御プログラムや、この算出プログラムで用いられる堆積特性を特定する情報が格納されている。
【００４５】
再生制御プログラムの内容に先立ち、発明者らが、パティキュレートフィルタに関し、排気微粒子の堆積と、これが排気ガスの流通におよぼす影響について鋭意実験研究を重ねた結果得た知見について説明する。図２は、排気微粒子が堆積していない新品若しくはパティキュレートフィルタ３２を完全に再生した直後の状態から排気微粒子が堆積していくときの圧力損失ΔＰとＰＭ堆積量ＭL との関係を示すもので、圧力損失ΔＰはＰＭ堆積量ＭL の増加に応じて上昇する。圧力損失ΔＰとＰＭ堆積量ＭL との関係のプロファイルは上に凸となる。詳しくは、特性線が直線で表され、ＰＭ堆積量ＭL がある大きさになる点（以下、適宜、遷移点または増加時遷移点という）で前記直線の傾きが不連続に変化する（以下、適宜、前記ある大きさを遷移点堆積量若しくは増加時遷移点堆積量という）。ＰＭ堆積量ＭL が遷移点堆積量を越えると前記傾きが緩やかになる。すなわち２本の直線で排気微粒子の増加時の堆積特性が近似される。
【００４６】
ここで、遷移点を挟んで前記傾きが異なることについて説明する。図３（Ａ）、図３（Ｂ）、図３（Ｃ）は、パティキュレートフィルタ本体４の隔壁（以下、適宜、ＤＰＦ壁という）で排気微粒子の堆積が進行していく様子を示しており、この順に、ＰＭ堆積量が多くなる。
【００４７】
図３（Ａ）は新品若しくはパティキュレートフィルタ３２を完全に再生した直後の、排気微粒子が堆積していない状態であり、パティキュレートフィルタ本体４の隔壁を排気微粒子が透過する際における圧力損失は、パティキュレートフィルタ３２の形状諸元で規定される。
【００４８】
この状態から図３（Ｂ）に示すように、排気微粒子が、上流側のＤＰＦ壁表面に堆積したり、細孔に詰まって、圧力損失ΔＰが上昇するが、図中、矢印で示すように、排気ガスは細孔に向かうように流れが形成されるので、最初のうちは細孔が詰まることが圧力損失ΔＰを上昇させる支配要因となる。
【００４９】
細孔の多くが詰まり、ＤＰＦ壁表面の全面にＰＭ堆積層が形成されると、今度は、図３（Ｃ）に示すように、排気ガス中の排気微粒子によりＰＭ堆積層の厚さが増していくことになる。ここでは、ＤＰＦ壁表面を覆うＰＭ堆積層が厚くなることが圧力損失ΔＰを上昇させる支配要因となる。
【００５０】
このように、細孔の多くが詰まり、全面にＰＭ堆積層が形成される遷移点の前と後とで圧力損失ΔＰを上昇させる支配要因が異なる。細孔に排気微粒子が詰まっていない状態では良好に流通が自在であった細孔が、排気微粒子が細孔で捕集されて細孔に詰まると、急激に圧力損失が増大するので、細孔の多くが詰まってしまうまでは、前掲図２に示すように、ＰＭ堆積量ＭL に対する圧力損失ΔＰの変化率は比較的、大きい（ＰＭ増加第１特性線）。一方、細孔の多くが詰まってしまった以降では圧力損失ΔＰの上昇の支配要因がＰＭ堆積層が厚くなることに変わるから、ＰＭ堆積量に対する圧力損失ΔＰの変化率は緩やかなものに変わることになる（ＰＭ増加第２特性線）。
【００５１】
次に示す図４は、排気微粒子が堆積した状態から排気微粒子が燃焼してＰＭ堆積量が減少していくときの圧力損失ΔＰとＰＭ堆積量ＭL との関係を示すもので、排気微粒子の堆積量が増加していくときとは逆に下に凸となる。また、特性線は直線で表され、ＰＭ堆積量ＭL がある大きさだけ低減した点（以下、適宜、遷移点若しくは低減時遷移点という）で傾きが不連続に変化する（以下、適宜、遷移点堆積量若しくは低減時遷移点堆積量という）。すなわち２本の直線で排気微粒子の低減時の堆積特性が近似される。
【００５２】
これを図５（Ａ）、図５（Ｂ）、図５（Ｃ）により説明する。図５（Ａ）〜図５（Ｃ）は、パティキュレートフィルタ３２に堆積した排気微粒子が燃焼、消失していく様子を示しており、この順に燃焼が進行する。排気微粒子は堆積時には細孔が詰まりＤＰＦ壁表面の全面にＰＭ堆積層が形成された後、その厚さが増していくという過程を経たが、燃焼で低減する場合には、先ず細孔内に詰まった排気微粒子から燃焼、消失し（図５（Ａ）、図５（Ｂ））、その後、ＤＰＦ壁表面の排気微粒子が燃焼、消失していくことになる（図５（Ｃ））。
【００５３】
したがって、細孔に詰まった排気微粒子が除去されることで、急速に圧力損失ΔＰが減少し（ＰＭ低減第１特性線）、細孔の目詰まりの多くが回復し、ＤＰＦ壁の表面に堆積した排気微粒子が燃焼、消失する段階になると、圧力損失ΔＰの減少が緩やかになるものと認められる（ＰＭ低減第２特性線）。
【００５４】
図６は増加時の堆積特性と低減時の堆積特性とを併せたものである。ここで、ＰＭ増加第１特性線は細孔に排気微粒子が詰まっていく過程に対応するものであり、ＰＭ低減第１特性線は細孔に詰まった排気微粒子が消失する過程に対応するものである。いずれも、細孔内の堆積排気微粒子の増減に基因しているので、特性線の傾きは実質的に同じであり、ＰＭ増加第１特性線とＰＭ低減第１特性線とは平行となる。また、ＰＭ増加第２特性線は、細孔が略詰まった後、ＤＰＦ壁表面のＰＭ堆積層の厚さが増していく過程に対応するものであり、ＰＭ低減第２特性線は細孔内の排気微粒子が燃焼し尽くした後、ＰＭ堆積層の厚さが減っていく過程に対応するものである。いずれも、ＰＭ堆積層をなす堆積排気微粒子の増減に基因しているので、特性線の傾きは実質的に同じであり、ＰＭ増加第２特性線とＰＭ低減第２特性線とは平行となる。
【００５５】
ＥＣＵ５１のＲＯＭには、通常の特性線として、増加時遷移点までのＰＭ増加第１特性線と、増加時遷移点以降のＰＭ増加第２特性線とが記憶されている。特性線は、予め実験などにより設定される。
【００５６】
図７、図８に、ＥＣＵ５１で実行されるパティキュレートフィルタ３２の再生に関する制御内容を示す。ステップＳ１０１では、前回エンジン停止時の排気微粒子の堆積量（以下、適宜、ＰＭ堆積量という）の算出値、再生開始前に燃焼した堆積排気微粒子の積算量（以下、適宜、積算ＰＭ燃焼量という）を読み込む。
【００５７】
ステップＳ１０２，Ｓ１０３，Ｓ１０５，Ｓ１０６は再生決定手段としての処理で、ステップＳ１０４は補正手段としての処理である。ステップＳ１０２では、特性式補正フラグがオンか否かを判定する。否定判断されると、ステップＳ１０３で通常の特性式によりＰＭ堆積量を算出し、ステップＳ１０６に進む。肯定判断されると、ステップＳ１０４で後述する積算ＰＭ燃焼量（ステップＳ１１１）より特性式の補正量を算出するとともに特性式を補正する。ステップＳ１０５では補正後の特性式によりＰＭ堆積量を算出し、ステップＳ１０６に進む。
【００５８】
前記ＰＭ堆積量の算出は、圧力損失ΔＰを入力として、前記のごとく通常の特性線や補正後の特性式に基づいてなされるが、差圧センサ５４で検出される圧力損失はパティキュレートフィルタ３２を流通する排気ガスの流速に依存するから、ＰＭ堆積量ＭL の算出では排気流量から知られる前記流速を考慮する。すなわち、検出された圧力損失を流速が所定の流速値のときの圧力損失の値に換算して、これを特性式に代入することで、正確なＰＭ堆積量ＭL を得ることができる。このため、ＥＣＵ５１のＲＯＭには、圧力損失を換算するためのマップや換算式を記憶している。なお、以下の説明において、ＰＭ堆積量に実際値と算出値とのいずれもＭL で表すものとする。
【００５９】
また、ＰＭ増加第１特性線からＰＭ増加第２特性線への切り換えは、ＰＭ増加第１特性線に基づいてＰＭ堆積量ＭL を算出し、これが予め記憶した増加時遷移点堆積量に達すると切り換えるようにする。
【００６０】
ステップＳ１０６ではＰＭ堆積量算出値ＭL が再生開始量ＭLth に到達したか否かを判定する。再生開始量ＭLth は、機関背圧や出力の低下がさほどでなくパティキュレートフィルタ３２の再生をしないことが許容される堆積量の上限値を考慮して設定する。
【００６１】
ステップＳ１０６が肯定判断されると、ステップＳ１１２以降の処理（図８）を実行してパティキュレートフィルタ３２の再生を行うが、ＰＭ堆積量算出値ＭL が再生開始量ＭLth に未だ到らず、ステップＳ１０６が否定判断されるとステップＳ１０７に進む。
【００６２】
ステップＳ１０７，Ｓ１０８は排気微粒子燃焼状態検出手段としての処理で、ステップＳ１０７ではパティキュレートフィルタ３２の状態を確認する。ここで、パティキュレートフィルタ３２の状態の確認とは、パティキュレートフィルタ３２に堆積した排気微粒子が低減する状態にあるかを推定することである。堆積排気微粒子の低減は、堆積排気微粒子の燃焼によって生じ、ここでは、ＤＰＦ温度をＰＭ燃焼開始温度と比較し、ＰＭ燃焼開始温度よりも高ければ、排気微粒子が低減する状態にあるとする。ＰＭ燃焼開始温度は、パティキュレートフィルタ３２の堆積排気微粒子が燃焼しているとみなせる温度の下限値を考慮して設定される。また、ＤＰＦ温度がＰＭ燃焼開始温度よりも高いことだけを条件とするのではなく、当該条件が成立している時間が所定値以上あることをも条件に入れることで、排気微粒子が燃焼により低減しているとの判定の確度を高めるのもよい。また、エンジンの運転状態を示すその他の検出信号等を含めて総合的に判断するのも勿論よい。
【００６３】
続くステップＳ１０８ではステップＳ１０７での結果が、排気微粒子が低減している状態であるとのものであるか否かを判定し、肯定判断されるとステップＳ１０９に進み、否定判断されるとステップＳ１０２に戻る。なお、ＰＭ堆積量が増加時遷移堆積量に達するまではＤＰＦ温度がＰＭ燃焼開始温度よりも高くともステップＳ１０８は肯定判断されない。
【００６４】
ステップＳ１０９〜Ｓ１１３は燃焼排気微粒子積算手段としての処理で、ステップＳ１０９では特性式補正フラグをオンとし、ステップＳ１１０で、定常運転状態か否かを判定する。定常運転状態か否かは、例えば、パティキュレートフィルタ３２の温度分布を推定し、温度分布が略均一のときには定常運転と判断する。ここで、温度分布の均一性は、前記ＤＰＦ入口温度と前記ＤＰＦ出口温度との差をパティキュレートフィルタ３２の温度分布の幅とみなして、これが予め設定した基準値以下であれば定常運転状態と判断する。
【００６５】
定常運転時には排気ガスが絶えず略同じ温度でパティキュレートフィルタ３２に流入するので、温度分布が略均一であれば定常運転と判断することができる。非定常運転時にはパティキュレートフィルタ３２に流入する排気ガスの温度がそれまでと変わる。例えば加速時には温度が上昇する。このとき、パティキュレートフィルタ３２の入口３２ａと出口３２ｂとで温度差が生じる。温度分布が均一でなければ非定常運転と判断することができる。
【００６６】
定常運転状態か否かを判断するステップＳ１１０が肯定判断されるとステップＳ１１１に進む。ステップＳ１１１は第１の演算手段としての処理で、圧力損失ΔＰの減少量、およびエンジン本体１の気筒からのＰＭ排出量に基づいて堆積排気微粒子の低減分である瞬時ＰＭ燃焼量を算出する。圧力損失ΔＰの減少量はメモリに記憶された前回の圧力損失ΔＰから今回の圧力損失ΔＰを減じた減算値である。瞬時ＰＭ燃焼量の算出後はステップＳ１１３に進む。
【００６７】
一方、定常運転状態か否かを判断するステップＳ１１０が否定判断されるとステップＳ１１２に進む。ステップＳ１１２は第２の演算手段としての処理で、パティキュレートフィルタ３２の温度に基づいて瞬時ＰＭ燃焼量を算出する。算出後はステップＳ１１３に進む。
【００６８】
ステップＳ１１１およびステップＳ１１２は異なる方法で瞬時ＰＭ燃焼量を算出する。詳細は後述する。
【００６９】
ステップＳ１１３は更新手段としての処理で、瞬時ＰＭ燃焼量を積算し、積算ＰＭ燃焼量を算出する。すなわち、メモリに記憶された前回の積算ＰＭ燃焼量に今回選択された方法で算出された今回の瞬時ＰＭ燃焼量を加算して、加算値により積算ＰＭ燃焼量を更新する。積算ＰＭ燃焼量は、ＰＭ堆積量算出値ＭL が増加時遷移堆積量を越えてから、堆積排気微粒子が燃焼により低減した低減量である。この、積算ＰＭ燃焼量を算出するステップＳ１１３の実行後、ステップＳ１０２に戻る。
【００７０】
したがって、パティキュレートフィルタ３２の再生が開始されるまでの間に、排気微粒子が低減する状態が一度、現れると、ＰＭ堆積量は補正後特性式に基づいて演算されることになる。そして、その補正後特性式は、排気微粒子が低減する状態が現れるごとに、さらに積算ＰＭ燃焼量により補正されていくことになる（ステップＳ１０４，Ｓ１０５，Ｓ１０７〜Ｓ１１３）。
【００７１】
前記通常の特性式および補正後の特性式について図９により説明する。図中、破線で示した堆積特性はパティキュレートフィルタ３２の再生開始までに堆積排気微粒子が燃焼することなく、均一に堆積していったとしたときの堆積特性であり（以下、この堆積特性を標準堆積特性という）、標準堆積特性を表す特性線が前記通常の特性線である。前記のごとく、堆積特性は、増加時がＰＭ増加第１特性線とＰＭ増加第２特性線とからなり、低減時がＰＭ低減第１特性線とＰＭ低減第２特性線とからなる。したがって、堆積排気微粒子が燃焼すると、最初にＰＭ低減第１特性線を辿って圧力損失ΔＰが低下することになる。このとき、パティキュレートフィルタ３２の細孔内に詰まった排気微粒子が主に燃焼するから、燃焼後、再び堆積が進行するときの堆積特性は、燃焼により消失した細孔内の堆積排気微粒子の分、遷移点が標準堆積特性の遷移点よりも初期点側に近いものとなる。そして、ＰＭ堆積層の厚さの増大が支配要因となるＰＭ増加第２特性線の傾きは変わらないとみてよい。したがって、この燃焼後の圧力損失ΔＰおよびＰＭ堆積量ＭL がしたがう堆積特性は、標準堆積特性に対して、ＰＭ増加第２特性線がＰＭ堆積量ＭL 軸の方向に前記積算ＰＭ燃焼量だけシフトしたものとなる。これが補正後の特性線である。
【００７２】
これにより、ＰＭ堆積量の演算に用いられる堆積特性が適正化され、再生開始前において堆積排気微粒子が燃焼することがあっても、ＰＭ堆積量を高精度に得ることができる。標準堆積特性の場合には、ＰＭ堆積量算出値が実際のＰＭ堆積量よりも小さくなるから、急速燃焼の発生を十分に回避することができない。このため、再生開始量を小さめに設定するなどの措置が必要になって再生頻度が増えるおそれがあるが、本発明によれば再生頻度を適正化することができる。
【００７３】
なお、前記のごとくＰＭ増加第２特性線のシフト量は燃焼により消失した細孔内の堆積排気微粒子の量であるから、上限が決まっており、基本的に増加時遷移点におけるＰＭ堆積量以上にはならない。このときの堆積特性は、初期点を通り傾きが通常特性線と同じ直線で規定される。したがって、ステップＳ１０４で、補正量が標準堆積特性の増加時遷移点におけるＰＭ堆積量を越えたら、該ＰＭ堆積量に固定する。
【００７４】
ここで、補正後の特性式をより適正なものとするには、積算ＰＭ燃焼量の算出精度を高めることが重要である。本実施形態では、積算ＰＭ燃焼量は瞬時ＰＭ燃焼量を算出して得ており、瞬時ＰＭ燃焼量を算出する処理としてステップＳ１１０〜Ｓ１１２を実行するようにしている。ステップＳ１１１は、圧力損失ΔＰの減少量およびＰＭ排出量に基づいて瞬時ＰＭ燃焼量を算出するものであり、具体的には次のように行う。前記のごとく、堆積排気微粒子の燃焼は細孔内の排気微粒子を中心に進行するから、このときのＰＭ堆積量の減少分に対する圧力損失ΔＰの減少分のゲインはＰＭ低減第１特性線の傾きと同じである。一方、この間、新たにエンジン本体１の気筒から排出される排気微粒子はＤＰＦ壁表面の堆積層の厚さの増大に寄与するから、このＰＭ堆積量の増大分に対する圧力損失ΔＰの増大分のゲインはＰＭ増加第２特性線の傾きと同じである。換言すると、図１０に示すように、排気微粒子燃焼中の圧力損失ΔＰに関し、ＰＭ低減第１特性線を辿って圧力損失ΔＰが低下した後（図１０中、（１））、排気微粒子の堆積が進行して補正後のＰＭ増加第２特性線を辿って圧力損失ΔＰが増大する（図１０中、（２））と考えることができる。したがって、ＰＭ低減第１特性線の傾き（＝ＰＭ増加第１特性線の傾き）をα1、ＰＭ増加第２特性線の傾きをα2、圧力損失ΔＰの減少量をｄ（ΔＰ）、エンジンＰＭ排出量をＰＭout、として、式（１）となる。
瞬時ＰＭ燃焼量＝〔ｄ（ΔＰ）＋α2ＰＭout〕／α1・・・（１）
【００７５】
なお、排気微粒子の新たな堆積分であるＰＭ排出量は、燃料噴射量、機関回転数などの運転状態とＰＭ排出量とを対応させるマップをＥＣＵ５１のメモリに記憶しており、前記マップを参照して燃料噴射量などの運転状態に基づいてＰＭ排出量を算出する。
【００７６】
一方、ステップＳ１１２は、パティキュレートフィルタ３２の温度に基づいて瞬時ＰＭ燃焼量を算出するものであり、具体的には次のように行う。排気微粒子の燃焼速度は、パティキュレートフィルタ３２の温度に依存することから、パティキュレートフィルタ３２の温度と瞬時ＰＭ燃焼量との対応関係を示すマップに基づいて算出する。マップは図１１に示すように、パティキュレートフィルタ３２の排気微粒子が燃焼可能となる最低温度であるＰＭ燃焼開始温度以上の温度域で、瞬時ＰＭ燃焼量がパティキュレートフィルタ３２の温度に応じて大きくなるように与えられる。
【００７７】
圧力損失ΔＰの減少量およびＰＭ排出量に基づいて瞬時ＰＭ燃焼量を算出する方法（ステップＳ１１１）と、パティキュレートフィルタ３２の温度に基づいて瞬時ＰＭ燃焼量を算出する方法（ステップＳ１１２）とを比較すると、定常運転状態ではステップＳ１１１がより高精度に瞬時ＰＭ燃焼量を求めることができる。しかし、過渡状態のような非定常運転状態ではパティキュレートフィルタ３２の温度分布の均一性が低下して圧力損失ΔＰの減少量と堆積量の減少量との対応関係を規定する前記傾きα1、α2が適正な値とはいえず、ステップＳ１１１の方法は誤差が増大する。したがって、瞬時ＰＭ燃焼量を求めるにはステップＳ１１２の方が望ましい。本実施形態では、瞬時ＰＭ燃焼量を２種類の方法で算出可能として、これらを定常運転状態か否かに基づいて選択することで、より高精度に積算ＰＭ燃焼量を求めることができる。
【００７８】
また、本実施形態では、瞬時ＰＭ燃焼量を算出するごとに特性線を補正しているが、瞬時ＰＭ燃焼量の大きさにはばらつきがあるから、積算ＰＭ燃焼量が所定量増加するごとに段階的に行うようにしてもよい。この場合、演算負担を軽減することができる。
【００７９】
次に、ＰＭ堆積量算出値が再生開始量に到達した後の処理について説明する。ステップＳ１０６が肯定判断されると、ステップＳ１１４でパティキュレートフィルタ３２を再生する。これは例えばポスト噴射等が用いられる。
【００８０】
ステップＳ１１５では補正特性式によりＰＭ堆積量ＭL を算出する。この補正特性式は初期点を通る直線とする。これはＰＭ低減第２特性線と同じであり、パティキュレートフィルタ３２の細孔内の排気微粒子が消失した後、再生の進行に応じてこの特性線を辿って圧力損失ΔＰが低下するからである。
【００８１】
ステップＳ１１６では、ＰＭ堆積量算出値が再生開始堆積量である再生終了量に到達したか否かを判定する。否定判断されるとステップＳ１１５に戻り、肯定判断されるまでステップＳ１１５，Ｓ１１６が繰り返される。肯定判断されると、ステップＳ１１７でポスト噴射などを停止してパティキュレートフィルタ３２の再生を終了する。この時PMは完全に燃焼除去されるため、特性式の補正は不要となり、ステップＳ１１８で特性式補正フラグをオフするとともに、ステップＳ１１９で積算ＰＭ燃焼量をリセットして、次の再生までの期間のＰＭ堆積量の算出に備える。
【００８２】
このように、本排気ガス浄化装置では、ＰＭ堆積量を正確に知ることで適正な時期にパティキュレートフィルタ３２の再生を実施することができるので、再生時期が早すぎて燃費が悪化したり、再生時期が遅すぎて内燃機関の出力の低下やパティキュレートフィルタ３２での異常な昇温を招いたりするのを防止することができる。
【００８３】
（第２実施形態）
図１２、図１３に本発明の第２実施形態になる排気ガス浄化装置のＥＣＵで実行される制御フローを示す。基本的な構成は第１実施形態のものと同じで、第１実施形態と実質的に同じ作動をする部分には同じ番号を付して第１実施形態との相違点を中心に説明する。
【００８４】
ステップＳ２０１では前回エンジン停止時のＰＭ堆積量の算出値、積算ＰＭ燃焼量、および特性式フラグを読み込む。特性式フラグは２種類あり、本説明では３、４として説明する。
【００８５】
ステップＳ２０２は後述するＳ２０８とともに排気微粒子燃焼状態検出手段としての処理で、ステップＳ２０３〜Ｓ２０６は再生決定手段としての処理である。ステップＳ２０２では第１実施形態のステップＳ１０７と同様にパティキュレートフィルタ３２の状態を確認し、ステップＳ２０３ではステップＳ２０２での結果が、排気微粒子が低減している状態であるとのものであるか否かを判定し、否定判断されるとステップＳ２０４に進み、肯定判断されるとステップＳ２０５に進む。
【００８６】
ステップＳ２０４では排気微粒子が増加する特性式によりＰＭ堆積量を算出する。すなわち、ＰＭ増加第１特性線とＰＭ増加第２特性線である。これは、遷移ＰＭ堆積量まではＰＭ増加第１特性線に基づいて算出し、遷移ＰＭ堆積量を越えるとＰＭ増加第２特性線に基づいて算出する。ＰＭ堆積量の算出後、ステップＳ２０７に進む。
【００８７】
ステップＳ２０５では、積算ＰＭ燃焼量がＰＭ低減遷移堆積量以下ならば特性フラグを３とし、ＰＭ低減遷移堆積量以上ならば特性フラグを４とする。ここで、ＰＭ低減遷移堆積量は、再生終了後からパティキュレートフィルタ３２に排気微粒子が捕集されて細孔内が詰まっていき、増加時遷移点に到達した時点で細孔内に詰まっている排気微粒子の量と実質的に等価であり、積算ＰＭ燃焼量がＰＭ低減遷移堆積量を越えると前記細孔内に詰まった排気微粒子の量が０になったとみなせる。積算ＰＭ燃焼量がＰＭ低減遷移堆積量を越えるまでは、ＰＭ低減第１特性線を辿って圧力損失が低下し、ＰＭ低減遷移堆積量を越えた以降は、ＰＭ低減第２特性線を辿って圧力損失が低下することになる。
【００８８】
ステップＳ２０６ではＰＭ堆積量を算出する。ここで、特性フラグが３であれば、ＰＭ低減第１特性線に基づいてＰＭ堆積量を算出し、特性フラグが４であれば、ＰＭ低減第２特性線に基づいてＰＭ堆積量を算出する。ＰＭ低減第１特性線、ＰＭ低減第２特性線は、予め記憶されるＰＭ増加第１特性線と異なり、随時設定される。また、ＰＭ増加第２特性線は第１実施形態における通常特性式に相当するものが初期値として記憶されるが、堆積排気微粒子が低減する状態になるとこれも随時、設定される。詳細は後述する。ＰＭ堆積量の算出後、ステップＳ２０７に進む。
【００８９】
ステップＳ２０７では第１実施形態のステップＳ１０６と同様に、ＰＭ堆積量算出値ＭL が再生開始量ＭLth に到達したか否かを判定する。
【００９０】
ステップＳ２０７が肯定判断されると、ステップＳ２１２以降の処理（図１１）を実行してパティキュレートフィルタ３２の再生を行うが、ＰＭ堆積量算出値ＭL が再生開始量ＭLth に未だ到らず、ステップＳ２０７が否定判断されるとステップＳ２０８に進む。
【００９１】
ステップＳ２０８ではステップＳ２０３と同様にステップＳ２０２での結果が、排気微粒子が低減している状態であるとのものであるか否かを判定し、肯定判断されるとステップＳ２０９に進み、否定判断されるとステップＳ２０２に戻る。
【００９２】
ステップＳ２０９〜Ｓ２１２は燃焼排気微粒子積算手段としての処理で、ステップＳ２０９では第１実施形態のステップＳ１１０と同様に、定常運転状態か否かを判定する。肯定判断されるとステップＳ２１０で第１実施形態のステップＳ１１１と同様に、圧力損失ΔＰの減少量、およびエンジン本体１の気筒からのＰＭ排出量に基づいて瞬時ＰＭ燃焼量を算出する。定常運転状態か否かを判定するステップＳ２１０が否定判断されるとステップＳ２１１に進み、ステップＳ２１１で第１実施形態のステップＳ１１２と同様に、パティキュレートフィルタ３２の温度に基づいて瞬時ＰＭ燃焼量を算出する。ステップＳ２１０またはステップＳ２１１の実行後はステップＳ２１２で第１実施形態のステップＳ１１３と同様に、瞬時ＰＭ燃焼量を積算し、積算ＰＭ燃焼量を算出する。続くステップＳ２１３では算出された積算ＰＭ燃焼量がＰＭ低減遷移堆積量以下であれば特性式フラグを３とし、ＰＭ低減遷移堆積量以上であれば特性式フラグを４とする。ステップＳ２１３の実行後、ステップＳ２０２に戻る。
【００９３】
したがって、排気微粒子が低減する状態になければ、ＰＭ増加第１特性線とＰＭ増加第２特性線とに基づいてＰＭ堆積量が演算され、排気微粒子が低減する状態になれば、ＰＭ低減第１特性線とＰＭ低減第２特性線とに基づいてＰＭ堆積量が演算される。（ステップＳ２０３〜Ｓ２０６，Ｓ２０８〜Ｓ２１３）。ここで、積算ＰＭ燃焼量がＰＭ低減遷移堆積量以上であればＰＭ低減第１特性線となり、ＰＭ低減遷移堆積量以上であればＰＭ低減第２特性線となる。
【００９４】
パティキュレートフィルタ３２の再生が開始されるまでの間において圧力損失ΔＰおよびＰＭ堆積量ＭL がしたがう堆積特性、および、ＰＭ堆積量ＭL の算出に用いられる特性式について図１４により説明する。ＰＭ堆積量がＰＭ増加遷移堆積量に達するまでは細孔内に排気微粒子が詰まることが圧力損失ΔＰの増加の支配要因であり、この間に堆積排微粒子が燃焼により低減することがあっても、ＰＭ増加第１特性線を辿って初期点方向に戻るだけである。そして、ＰＭ増加遷移堆積量を越えて、ＰＭ増加第２特性線上を圧力損失ΔＰが増加していくが、その途中で、堆積排気微粒子が低減する状態になると、その時点の圧力損失ΔＰおよびＰＭ堆積量算出値ＭL を通るＰＭ低減第１特性線が設定され、該ＰＭ低減第１特性線に基づいてＰＭ堆積量が算出される。ＰＭ低減第１特性線は、図６に示したごとく直線の傾き（ゲイン）がＰＭ増加第１特性線と同じに設定される。また、堆積排気微粒子が低減する状態に切り換わった時点における圧力損失ΔＰおよびＰＭ堆積量算出値ＭL は、これと実質的に等価な、前回の圧力損失ΔＰおよびＰＭ増加第２特性線に基づいて算出されたＰＭ堆積量算出値ＭL が用いられる。
【００９５】
そして、再び排気微粒子が低減する状態から増加する状態に戻ると、その時点の圧力損失ΔＰおよびＰＭ堆積量算出値を通るＰＭ増加第２特性線が設定され、該ＰＭ増加第２特性線に基づいてＰＭ堆積量が算出される。ＰＭ増加第２特性線は、直線の傾き（ゲイン）が第１実施形態記載の前記標準堆積特性のＰＭ増加第２特性線と同じである。堆積排気微粒子が増加する状態に切り換わった時点における圧力損失ΔＰおよびＰＭ堆積量算出値ＭL は、これと実質的に等価な、前回の圧力損失ΔＰおよびＰＭ低減第１特性線に基づいて算出されたＰＭ堆積量算出値ＭL が用いられる。その後、再び排気微粒子が低減する状態になると、その時点の圧力損失ΔＰおよびＰＭ堆積量算出値を通るＰＭ低減第１特性線が設定される。
【００９６】
このようにして、排気微粒子が低減する状態とそうではない状態とが交互に現れるとＰＭ低減第１特性線とＰＭ増加第２特性線とが交互に設定される。そして、積算ＰＭ燃焼量が増加する。積算ＰＭ燃焼量は、排気微粒子が低減状態となっている間におけるＰＭ堆積量算出値の低減量（図１４中、ＰＭ低減第１特性量）の総量であり、これがＰＭ低減遷移堆積量に達すると、すなわち、細孔内に詰まった排気微粒子がすべて燃焼により消失すると、ＰＭ低減第２特性線に設定される。ＰＭ低減第２特性線は、ＰＭ低減第１特性線よりも緩いＰＭ増加第２特性線と同じ傾きであり、初期点を通る特性線である。細孔内に詰まった排気微粒子がすべて燃焼により消失した状態では、ＰＭ低減第２特性線はＰＭ増加第２特性線と等価であり、ＰＭ低減第２特性線に設定されると、以降は排気微粒子が低減する状態のときも増加する状態のときもＰＭ低減第２特性線に基づいてＰＭ堆積量が算出される。
【００９７】
このように、ＰＭ堆積量の演算に用いられる堆積特性が適正化され、再生開始前において堆積排気微粒子が燃焼することがあっても、ＰＭ堆積量を高精度に得ることができる。前記標準堆積特性の場合には、ＰＭ堆積量算出値が実際のＰＭ堆積量よりも小さくなるから、急速燃焼の発生を十分に回避することができない。このため、再生開始量を小さめに設定するなどの措置が必要になって再生頻度が増えるおそれがあるが、本発明によれば再生頻度を適正化することができる。
【００９８】
なお、本実施形態では、エンジンの運転状態に基づいて瞬時ＰＭ燃焼量を算出し、積算ＰＭ燃焼量を求めているが、特性線に基づいて求めてもよい。すなわち、排気微粒子が低減状態ではない状態から低減状態に切り換わってＰＭ堆積量算出値がＰＭ低減第１特性線に基づいて算出される間はＰＭ堆積量算出値が低減していくことになるが、この低減量を積算して、積算値を積算ＰＭ燃焼量とする。
【００９９】
次に、ＰＭ堆積量算出値が再生開始量に到達した後の処理について説明する。ステップＳ２０７が肯定判断されると、ステップＳ２１４でパティキュレートフィルタ３２を再生する。これは例えばポスト噴射等が用いられる。
【０１００】
ステップＳ２１３では積算ＰＭ燃焼量がＰＭ低減遷移堆積量以下であれば特性式フラグを３とし、ＰＭ低減遷移堆積量以上であれば特性式フラグを４とする。ステップＳ２１４では、特性フラグが３であれば、ＰＭ低減第１特性線に基づいてＰＭ堆積量を算出し、特性フラグが４であれば、ＰＭ低減第２特性線に基づいてＰＭ堆積量を算出する。
【０１０１】
ステップＳ２１７では、ＰＭ堆積量算出値が再生終了量に到達したか否かを判定する。否定判断されるとステップＳ２１５に戻り、肯定判断されるまでステップＳ２１５〜Ｓ２１７が繰り返される。肯定判断されると、ステップＳ２１８でポスト噴射などを停止してパティキュレートフィルタ３２の再生を終了する。そして、ステップＳ２１９で特性式フラグをリセットするとともに、ステップＳ２２０で積算ＰＭ燃焼量をリセットして、次の再生までの期間のＰＭ堆積量の算出に備える。
【０１０２】
このように、本排気ガス浄化装置では、ＰＭ堆積量を正確に知ることで適正な時期にパティキュレートフィルタ３２の再生を実施することができるので、再生時期が早すぎて燃費が悪化したり、再生時期が遅すぎて内燃機関の出力の低下やパティキュレートフィルタ３２での異常な昇温を招いたりすることを防止することができる。
【０１０３】
なお、堆積特性は、ＰＭ増加第１特性線とＰＭ低減第１特性線とが平行で、かつ、ＰＭ増加第２特性線とＰＭ低減第２特性線とが平行なものとして説明したが、ＰＭの燃焼状態はＤＰＦ内の温度分布等により部位により異なることもあるため、必ずしも図６のものが最も適合するとは限らず、図１５に示すように、ＰＭ増加第２特性線とＰＭ低減第２特性線とが非平行なものとしてもよい。あるいは、図１６に示すように、ＰＭ増加第１特性線とＰＭ低減第１特性線とが非平行なものとしてもよい。
【０１０４】
また、増加特性、低減特性は、それぞれを２本の直線で表さずに、図１７に示すように、ＰＭ増加特性が上に凸すなわち圧力損失が高い方に凸となるようにＰＭ堆積量の増加とともに圧力損失が上昇する特性であり、ＰＭ低減特性が下に凸すなわち圧力損失が低い方に凸となるようにＰＭ堆積量の低減とともに圧力損失が低下する特性としてもよい。この場合、図１８、図１９に示すように、低減特性、増加特性のうち一方は２本の直線で規定される特性としてもよい。
【０１０５】
また、前記各実施形態において、圧力損失ΔPに基づくＰＭ堆積量の演算は、運転状態が所定の運転状態のときには禁止するようにしてもよい。例えば、圧力損失ΔＰは排気流量の二乗を含む多項式で表されることから、排気流量が少ないと十分な圧力損失ΔＰが得られないため、ＰＭ堆積量の測定精度は悪くなる。排気流量が基準値以下のときを、圧力損失ΔPに基づくＰＭ堆積量の演算を禁止する前記所定の運転状態とする。
【図面の簡単な説明】
【０１０６】
【図１】本発明の排気ガス浄化装置を適用した内燃機関の構成図である。
【図２】前記排気ガス浄化装置のパティキュレートフィルタにおいて、排気微粒子が堆積していくときの堆積量と圧力損失との関係を示すグラフである。
【図３】（Ａ）、（Ｂ）、（Ｃ）は、それぞれ前記パティキュレートフィルタに排気微粒子が堆積していく状態を示す堆積量の異なる図である。
【図４】前記パティキュレートフィルタにおいて、堆積した排気微粒子が燃焼、消失していくときの堆積量と圧力損失との関係を示すグラフである。
【図５】（Ａ）、（Ｂ）、（Ｃ）は、それぞれ前記パティキュレートフィルタの堆積排気微粒子が燃焼、消失していく状態を示す堆積量の異なる図である。
【図６】前記パティキュレートフィルタにおいて、排気微粒子が堆積していくときと、堆積した排気微粒子が燃焼、消失していくときとを併せた、堆積量と圧力損失との関係を示すグラフである。
【図７】前記内燃機関の各部を制御するＥＣＵで実行される制御内容を示す第１のフローチャートである。
【図８】前記ＥＣＵで実行される制御内容を示す第２のフローチャートである。
【図９】前記ＥＣＵで実行される制御内容を説明するための、堆積量と圧力損失との関係を示すグラフである。
【図１０】前記ＥＣＵで実行される制御内容を説明するための、堆積量と圧力損失との関係を示す別のグラフである。
【図１１】前記ＥＣＵで実行される制御内容を説明するための、パティキュレートフィルタ温度と瞬時ＰＭ燃焼量との関係を示す別のグラフである。
【図１２】本発明の別の排気ガス浄化装置を適用した内燃機関のＥＣＵで実行される制御内容を示す第１のフローチャートである。
【図１３】前記ＥＣＵで実行される制御内容を示す第２のフローチャートである。
【図１４】前記ＥＣＵで実行される制御内容を説明するための、堆積量と圧力損失との関係を示すグラフである。
【図１５】本発明の第１の変形例を説明するための、堆積量と圧力損失との関係を示すグラフである。
【図１６】本発明の第２の変形例を説明するための、堆積量と圧力損失との関係を示すグラフである。
【図１７】本発明の第３の変形例を説明するための、堆積量と圧力損失との関係を示すグラフである。
【図１８】本発明の第４の変形例を説明するための、堆積量と圧力損失との関係を示すグラフである。
【図１９】本発明の第５の変形例を説明するための、堆積量と圧力損失との関係を示すグラフである。
【符号の説明】
【０１０７】
１  エンジン本体
２  吸気通路
２１  吸気マニホールド
３  排気通路
３１  排気マニホールド
３２  パティキュレートフィルタ
３２ａ  入口
３２ｂ  出口
４  本体
５１  ＥＣＵ（再生決定手段、補正手段、排気微粒子燃焼状態検出手段、燃焼排気微粒子積算手段、第１の演算手段、第２の演算手段、定常運転判定手段、更新手段）
５２  エアフローメータ
５３  温度センサ
５４  差圧センサ（圧力損失検出手段）
【図１】
2004286019.tif 000003
【図２】
2004286019.tif 000004
【図３】
2004286019.tif 000005
【図４】
2004286019.tif 000006
【図５】
2004286019.tif 000007
【図６】
2004286019.tif 000008
【図７】
2004286019.tif 000009
【図８】
2004286019.tif 000010
【図９】
2004286019.tif 000011
【図１０】
2004286019.tif 000012
【図１１】
2004286019.tif 000013
【図１２】
2004286019.tif 000014
【図１３】
2004286019.tif 000015
【図１４】
2004286019.tif 000016
【図１５】
2004286019.tif 000017
【図１６】
2004286019.tif 000018
【図１７】
2004286019.tif 000019
【図１８】
2004286019.tif 000020
【図１９】
2004286019.tif 000021